(57)【要約】【課題】狭小敷地の庭に屋外床部を設置した場合であっても、この庭に面した居室から庭を眺めたときの庭の奥行感を、この屋外床部ができるだけ損なうことのないようにする。【解決手段】狭小敷地における庭Ｇを中心とした庭構造である。庭Ｇに面した開口部１ａを介して居室１の床面１ｂに床面２ｂを連続させるように設置される屋外床部２と、この屋外床部２の前方において、この屋外床部２の床面２ｂに植栽地盤面４ａを連続させるように前記庭Ｇに形成された盛り上げ植栽領域４とを備えてなる。【選択図】図１
2013019100.tif 000002
【特許請求の範囲】
【請求項１】
庭に面した開口部を介して居室の床面に床面を連続させるように設置される屋外床部と、
この屋外床部の前方において、この屋外床部の床面に植栽地盤面を連続させるように前記庭に形成された盛り上げ植栽領域とを備えてなることを特徴とする狭小敷地における庭構造。
【請求項２】
屋外床部との間に盛り上げ植栽領域を挟むように敷地境界線に沿った壁部を備えてなることを特徴とする請求項１に記載の狭小敷地における庭構造。
【請求項３】
壁部上にフェンス部が備えられていることを特徴とする請求項２に記載の狭小敷地における庭構造。
【請求項４】
居室の開口部からの屋外床部の突き出し寸法が、４５０ｍｍ〜１８００ｍｍの範囲であり、
前記屋外床部の前端から敷地境界線までの距離が、９００ｍｍ〜３０００ｍｍの範囲であることを特徴とする請求項１〜請求項３のいずれか１項に記載の狭小敷地における庭構造。
【請求項５】
壁部の高さが、５００ｍｍ〜１５００ｍｍの範囲であることを特徴とする請求項４に記載の狭小敷地における庭構造。
【発明の詳細な説明】
【技術分野】
【０００１】
この発明は、狭小敷地における庭構造に関する。
【背景技術】
【０００２】
現在、戸建て住宅においては、庭にウッドデッキなどの屋外床部を設置することが好まれる傾向にある。しかるに、３０坪以下の狭小敷地においては、庭面積は確保し難く（敷地面積３０坪の場合では典型的には５坪程度となる）、このような敷地において屋外床部を設置すると庭の植栽面積がさらに減少し、庭に面した居室内から庭を眺めた場合には多くの場合屋外床部に隠されて植えた樹木の根元や庭の地盤面が見えなくなってしまう。このような庭は居室内から眺めた場合、奥行が少なく感じられ易い。
【発明の概要】
【発明が解決しようとする課題】
【０００３】
この発明が解決しようとする主たる問題点は、狭小敷地の庭に屋外床部を設置した場合であっても、この庭に面した居室から庭を眺めたときの庭の奥行感を、この屋外床部ができるだけ損なうことのないようにする点にある。
【課題を解決するための手段】
【０００４】
前記課題を達成するために、この発明にあっては、狭小敷地における庭構造を、庭に面した開口部を介して居室の床面に床面を連続させるように設置される屋外床部と、
この屋外床部の前方において、この屋外床部の床面に植栽地盤面を連続させるように前記庭に形成された盛り上げ植栽領域とを備えてなるものとした。
【発明の効果】
【０００５】
この発明によれば、盛り上げ植栽領域によって、庭に面した居室から庭を眺めたときに、植えた樹木の根元や地盤面が屋外床部に隠されないようにでき、これにより居室から庭を眺めたときの庭の奥行感がかかる屋外床部によってできるだけ損なわれないようにすることができる。かかる盛り上げ植栽領域を備えた庭はこの庭に面した居室における温熱環境の向上に物理的のみならず心理的にも寄与するものとなる。
【図面の簡単な説明】
【０００６】
【図１】図１は実施の形態にかかる庭構造の一例（実施例１）を示した断面構成図である。
【図２】図２は図１に示される居室からの庭の眺めの様子を示した構成図である。
【図３】図３は実施の形態にかかる庭構造の他の一例（実施例４）を示した断面構成図である。
【図４】図４は図３に示される居室からの庭の眺めの様子を示した構成図である。
【図５】図５は比較例にかかる庭構造の一例を示した断面構成図である。
【図６】図６は図５に示される居室からの庭の眺めの様子を示した構成図である。
【発明を実施するための形態】
【０００７】
以下、図１〜図６に基づいて、この発明の典型的な実施の形態について、説明する。この実施の形態にかかる庭構造は、狭小敷地における庭Ｇを中心とした外構であって、この庭Ｇに面した居室１における温熱環境の向上（冬期に暖かく夏期に涼しく過ごせるようにする）にも心理面から寄与し得るものである。かかる庭構造は、典型的には、３０坪以下の狭小敷地の庭Ｇに適用するのに適している。
【０００８】
かかる庭構造は、庭Ｇに面した開口部１ａ（掃き出し窓）を介して居室１の床面１ｂに床面２ｂを連続させるように設置される屋外床部２と、
この屋外床部２の前方において、この屋外床部２の床面２ｂに植栽地盤面４ａを連続させるように前記庭Ｇに形成された盛り上げ植栽領域４とを備えてなる。
【０００９】
図１にかかる庭構造の概要構成を示す。図中符号２ａはこの屋外床部２を庭Ｇの地盤面上に支持する脚部、符号３は庇である。また、図中符号Ｈは隣接する敷地に立てられている別の建物の外壁であり、符号Ｈａはこの別の建物の窓である。
【００１０】
前記居室１の開口部１ａはこの開口部１ａを利用して成人が屋外床部２と居室１との間を出入りできる大きさ（高さと幅）を持っている。また、屋外床部２は、かかる居室１の開口部１ａの開口下端と略同じレベルにその床面２ｂを位置させるようにして設けられると共に、かかる開口部１ａのどの位置から庭Ｇに出る場合でもその動線上にこの屋外床部２が位置される左右寸法を持つようになっている。
【００１１】
前記盛り上げ植栽領域４は、屋外床部２との間に盛り上げ植栽領域４を挟むように敷地境界線に沿って設置される壁部５と、この屋外床部２の前端２ｃとの間に形成される。図示の例では、盛り上げ植栽領域４は、前記壁部５と屋外床部２の前端２ｃ側を支持する脚部２ａの近傍に形成された土留め７との間に盛られた土壌によって形成されている。
【００１２】
敷地が狭小であるために、庭Ｇに面した居室１の開口部１ａの前方に屋外床部２を形成した場合に庭Ｇに植えた樹木Ｐの根元が居室１の中央に着座した状態において屋外床部２に隠されて見えなくなると、居室１内から庭Ｇを見たときの奥行感が低下することが認められた。（図５、図６／両図は図１と同様に屋外床部２は設けてあるが盛り上げ植栽領域４を設けない状態を示している。）これと同じ条件でも、屋外床部２の前方に前記盛り上げ植栽領域４を設けると、樹木Ｐの根元や植栽地盤面４ａが居室１の中央に着座した状態において視認でき、（図２）居室１内から庭Ｇを見たときの庭Ｇの奥行感が向上することが認められた。盛り上げ植栽領域４の先に更に前記壁部５を設けると、居室１内から庭Ｇを見たときの安心感が向上することが認められた。
【００１３】
図３は、前記壁部５上にさらにフェンス部６を備えた例を示している。このようにした場合、居室１内から庭Ｇを見たときの開放感を損なうことなく、居室１内から庭Ｇを見たときの安心感を向上できることが認められた。（図４）
【００１４】
この実施の形態にかかる庭構造は、前記居室１の開口部１ａからの屋外床部２の突き出し寸法を４５０ｍｍ〜１８００ｍｍの範囲として、前記屋外床部２の前端２ｃから敷地境界線までの距離を９００ｍｍ〜３０００ｍｍの範囲とする場合に、必要性が認められると共に適用可能で且つ有効である。
【００１５】
また、前記壁部５は、低すぎると前記安心感が損なわれ、また、高すぎると前記開放感が損なわれることから、その高さは５００ｍｍ〜１５００ｍｍの範囲とすることが好適である。
【００１６】
さらに、庭Ｇに植える樹木Ｐとしては、樹高が３ｍまでで、樹冠の水平投影面の輪郭形状を楕円形や略円形として葉張りがあまり広くならないもの、例えば、ヒメシャラ、ソヨゴ、ハイノキなどが好ましい。
【実施例】
【００１７】
以下の前提条件を備えた実験棟を用意し、これを比較例とすると共に、これに付加条件を付加した実施例１〜実施例４を用意し、被験者の受けた印象を以下の手法で数値化した。
【００１８】
（前提条件）
図５に示される構成を備えた実験棟。（比較例）
居室１の寸法及び面積：5460mm×3640mm／19.87m2
庭Ｇの寸法及び面積：2700mm×3600mm／9.72m2
屋外床部２（ウッドデッキ）寸法及び面積：1800mm（突き出し寸法）×3600mm                                      （左右寸法）／6.48m2
庭Ｇに占める屋外床部２の割合：６６％
庭Ｇに植えた樹木Ｐ：ヒメシャラ（樹高2.5m×葉張り1.2m）
ソヨゴ（樹高1.5m×葉張り0.9m）
居室１の照明は消灯させておく。
【００１９】
（実施例１）
図１に示される構成を備えた実験棟。
屋外床部２の前方に盛り上げ植栽領域４を形成し、前記樹木Ｐをこの盛り上げ植栽領域４に植え、その前方にほとんど視界を遮らない高さの壁部５を形成。
（実施例２）
図１に示される構成を備えた実験棟の庭Ｇの植栽領域の前方に視界を遮ぎる高さの壁部（図示は省略する。）を設置。
（実施例３）
屋外床部２の前方に盛り上げ植栽領域４を形成し、前記樹木Ｐをこの盛り上げ植栽領域４に植え、その前方にほとんど視界を遮らない高さの壁部５を形成すると共に、この壁部５上に視界を遮る高さの金網状のフェンス部（図示は省略する。）を設置。
（実施例４）
図３に示される構成を備えた実験棟。
実施例３の金網状のフェンス部に代えて、上下に隣り合う板材間にスリットを形成させるようにして複数の板材を垂直方向に並設させてなる木製のフェンス部６を設置。
【００２０】
（被験者）
比較例及び実施例１
被験者数１９名
女性（２０代１名、３０代８名）
男性（２０代１名、３０代１名、４０代４名、５０代４名）
実施例１〜４
被験者数２０名
女性（２０代１名、３０代７名、４０代２名、５０代１名）
男性（２０代１名、３０代２名、４０代４名、５０代１名、６０代１名）
【００２１】
（被験者の受けた印象の数値化手法）
実施例１〜４、比較例のそれぞれにおいて、居室１の中央に設置されたソファーに被験者を二名づつ着座させ、掃き出し窓を通じて庭Ｇを眺めた印象を、開放感、快適感、爽快感、明るさ感、奥行感、安心感の６項目について、６段階で評価させた。（開放感の場合、非常に開放的に感じた場合は６点、かなり開放的と感じた場合５点、すこし開放的と感じた場合４点、すこし閉鎖的と感じた場合３点、かなり閉鎖的と感じた場合２点、非常に閉鎖的と感じた場合１点として評価させた。他の項目についてもこれを準用した。）前記６項目についてそれぞれ、前記被験者の評価点の全員分についての合算数を被験者数で除し、前記６項目について被験者が受けた印象をそれぞれを数値化した。その結果を以下にグラフにより示す。
【００２２】
（実施例１及び比較例の試験結果）
【表１】
2013019100.tif 000003
グラフ中、実線が実施例１、破線が比較例の結果をそれぞれ示す。
【００２３】
（実施例１〜４の試験結果）
【表２】
2013019100.tif 000004
グラフ中、一点鎖線は実施例１、二点鎖線は実施例２、実線は実施例３、点線は実施例４の結果をそれぞれ示す。
【符号の説明】
【００２４】
Ｇ  庭
１  居室
１ａ  開口部
１ｂ  床面
２  屋外床部
２ｂ  床面
４  盛り上げ植栽領域
４ａ  植栽地盤面
【図１】
2013019100.tif 000005
【図２】
2013019100.tif 000006
【図３】
2013019100.tif 000007
【図４】
2013019100.tif 000008
【図５】
2013019100.tif 000009
【図６】
2013019100.tif 000010